(57)【要約】【課題】  全部をコピーもしくは一部をトリミングコピーされた画像に対して、その出所がわかるような識別データを埋め込むことが可能な方法および装置を提供する。【解決手段】  カラーの元画像１を構成するＲプレーン１Ｒ、Ｇプレーン１Ｇ、Ｂプレーン１Ｂのうち、１Ｒ、１Ｇに対しては加工を行わず、１Ｂに対してのみ、モノクロ２値の識別画像２を埋め込むことにより、カラーの加工済画像３を作成する。【選択図】  図１
2005065327.tif 000002
【特許請求の範囲】
【請求項１】
複数の色プレーンからなるデジタル画像に対し、このデジタル画像の各ピクセルの特定プレーンのデータの特定ビットをモノクロ２値の識別画像の対応するピクセルのデータに置き換えることを特徴とするデジタル画像における識別データ埋め込み方法
【請求項２】
複数の色プレーンからなるデジタル画像に対し、このデジタル画像の各ピクセルの特定プレーンのデータの特定ビットをモノクロ２値の識別画像の対応するピクセルのデータに置き換えることを特徴とするデジタル画像における識別データ埋め込み装置
【発明の詳細な説明】
【技術分野】
【０００１】
この発明は、デジタル画像に識別データを埋め込む装置に関し、特に、識別データを埋め込んでも、画質の劣化を生じさせない識別データ埋め込み方法および装置に関する。
【背景技術】
【０００２】
近年、コンピュータ等のデジタル技術の進化により、写真等の画像をデジタルデータに変換して保存しておくことが可能になった。デジタルデータはコピーが簡単であり、また、複製物はオリジナルと全く同じであるため、非常に扱いやすい。
【０００３】
しかしながら、オリジナルデータの所有者がこのデータを販売した場合、一度自分の手を離れたデータは、どこかで第三者によって複製されていても、オリジナルの所有者には全くわからず、無断で全体をコピーもしくは一部をトリミングコピーした者がそのデータを販売していることを知っても、そのデータがこのオリジナルデータを元に複製されたものか、全く別に作成されたものであるかを確認する手段はなかった。
【発明の開示】
【発明が解決しようとする課題】
【０００４】
本発明は、上記のような問題を解決するため、全部をコピーもしくは一部をトリミングコピーされた画像に対しても、そのデータの出所がわかるような識別データを埋め込むことが可能な方法および装置を提供することを目的とする。
【課題を解決するための手段】
【０００５】
上記の課題は、ＲＧＢの３プレーンからなるデジタル画像に対し、このデジタル画像の各ピクセルの１プレーンのデータの特定ビットをモノクロ２値画像の対応するピクセルのデータに応じて変更することにより、解決される。
【発明の効果】
【０００６】
本発明によれば、ＲＧＢの３プレーンからなる画像に対し、この画像の各ピクセルの１プレーンのデータの特定ビットをモノクロ２値画像の対応するピクセルのデータに応じて変更するので、この画像が無断でコピーされた場合でも、この画像の１プレーンの特定ビットを抽出して表示することにより、コピーされたものであるかどうかを容易に識別できる。
【発明を実施するための最良の形態】
【０００７】
以下、本発明の一実施形態について説明する。図１は本発明による識別データ埋め込みの概念を示す図である。図１において１はＲ（レッド）、Ｇ（グリーン）、Ｂ（ブルー）各８ビットの３プレーンにより構成される元画像、２は識別データとして元画像１に埋め込まれるモノクロ２値の識別画像、３は元画像１に対して識別画像２が埋め込まれた加工済画像である。識別画像２としては、図１に示すように、「○○株式会社制作」等のように元画像を制作した会社名を全面に渡る大きさにして表現したものや、繰り返し全面に多数表現したものを使用すると好ましい。
【０００８】
図１に示すように、元画像１のＲプレーン１Ｒ、Ｇプレーン１Ｇには全く加工を行わず、Ｂプレーン１Ｂに対して識別画像２を埋め込み、Ｂプレーン１Ｂ’とする。そして、１Ｒ、１Ｇ、１Ｂ’を合成して加工済画像３とする。
【０００９】
図２は、本発明の識別データ埋め込み装置を示す図である。識別データ埋め込み装置は、コンピュータ本体１１、ディスプレイ１２、キーボード１３、マウス１４、ハードディスク１５、およびコンピュータ本体１１上で起動する識別データ埋め込みプログラム１６により構成される。
【００１０】
次に、本装置の具体的な処理動作について説明する。コンピュータ本体１１上で、識別データ埋め込みプログラム１６を起動すると、コンピュータ本体１１はハードディスク１５に格納されている元画像１および識別画像２を読み込む。
【００１１】
次に、元画像１の各ピクセルのＢプレーンの最下位ビットを識別画像２の対応するピクセルの値に変更する。例えば、元画像１のあるピクセルのＢプレーンの値が「１２８」である場合、すなわち、ビットで表現すると「１０００００００」である場合、識別画像２の対応するピクセルの値が１（白）であれば、元画像１のビットは「１００００００１」すなわち、値は「１２９」に変更され、識別画像２の対応するピクセルの値が０（黒）であれば、「１０００００００」のままである。
【００１２】
また、元画像１のピクセルのＢプレーンの値が「５５」である場合、すなわち、ビットで表現すると「００１１０１１１」である場合、識別画像２の対応するピクセルの値が１（白）であれば、元画像１のビットは変更されず、識別画像２の対応するピクセルの値が０（黒）であれば、「００１１０１１０」すなわち、値は「５４」に変更される。このようにして、各ピクセルごとに処理を行い、識別データを埋め込んで、加工済画像３が完成する。この加工済画像３はＦＤ、ＣＤ−ＲＯＭ等に格納され、または、通信により、流通されることになる。
【００１３】
次に、加工済画像３が流通された場合の、この画像が上記処理を行われた画像であるかどうかを画像識別装置により確認する手順を以下に説明する。画像識別装置は、図１に示す識別データ埋め込み装置と同一のハード構成のものに画像識別プログラムを加えたものである。画像識別装置において、画像識別プログラムを起動させると、識別対象の画像を読み込み、その各ピクセルのＢプレーンの最下位１ビットを抽出して、ディスプレイに表示する。この表示された画像が識別画像２と同じであれば、この識別対象となった画像は、加工済画像３であることがわかる。
【００１４】
識別画像２は、図１に示すように、何らかの意味を表現した画像にしてあるので、ディスプレイに表示するだけで出所は一目瞭然となる。また、識別画像として、全面に渡って識別できるような表現を使用すれば、画像がトリミングされていても、識別することが可能となる。
【００１５】
以上、本発明を、Ｂプレーンの最下位ビットを操作する場合について説明したが、本発明はこの場合に限定されるものではない。しかしながら、Ｂプレーンの操作は、Ｒプレーン、Ｇプレーンを操作した場合に比べて、肉眼で画像を見た場合に影響が少ない点、および、最下位ビットの操作は他の１ビットまたは複数のビットの操作に比べデータの変化が小さい点を考慮すると上記の例の場合が最適である。
【図面の簡単な説明】
【００１６】
【図１】本発明の識別データ埋め込みの概念を説明する流れ図
【図２】本発明の識別データ埋め込み装置の構成図
【符号の説明】
【００１７】
１  元画像
２  識別画像
３  加工済画像
１１  コンピュータ本体
１２  ディスプレイ
１３  キーボード
１４  マウス
１５  ハードディスク
１６  識別データ埋め込みプログラム
【図１】
2005065327.tif 000003
【図２】
2005065327.tif 000004